(57)【要約】    【課題】加工工程が少なく安価なコネクタを提供する。      【解決手段】コネクタ２０の一方のボディー２２のコンタクトテール８ａが露出した側に、ケーブル４０の芯線４０ａを対応するコンタクトテール８ａへ案内するケーブル案内孔３１を形成したワイヤー保持ブロック３０を配設するとともに、このワイヤー保持ブロック３０とボディー２２との間に係合手段２３を介在させ、ボディー２２とワイヤー保持ブロック３０とを結合する。    【選択図】  図８
2006086083.tif 000002
【特許請求の範囲】
【請求項１】
一方の印刷配線基板の配線パターン上に接続可能なコンタクトテールを有するコンタクトをボディーに配設したプラグと、他方の印刷配線基板の配線パターン上に接続可能なコンタクトテールを有するコンタクトをボティーニ配設したリセプタクルとを有し、前記プラグとリセプタクルとを結合させて前記一方の印刷配線基板の配線パターンと他方の印刷配線基板の配線パターンとを電気的に接続するようにしたコネクタにおいて、
前記プラグ側ボティーと前記リセプタクル側ボディーのうちいずれか一方のボディーの前記コンタクトテールが露出した側に、ゲーブルの芯線を対応する前記コンタクトテールへ案内するケーブル案内孔を形成したワイヤー保持ブロックを配設するとともに、該ワイヤー保持ブロックと前記ボディーとの間に前記ワイヤー保持ブロックを前記ボディーに結合させる係合手段を介在させるようにしたことを特徴とするコネクタ。
【請求項２】
前記係合手段は前記ボディー側に形成された係合凸部と、前記ワイヤー保持ブロック側に形成され、前記係合凸部に嵌着する係合凹部であることを特徴とする請求項１に記載のコネクタ。
【発明の詳細な説明】
【技術分野】
【０００１】
この発明は、一方の印刷配線基板と他方の印刷配線基板とを電気的に接続させるとともに、一方の印刷配線基板とケーブルとを電気的に接続することも可能なコネクタの改良に関する。
【背景技術】
【０００２】
従来より、電子回路が形成された一方の印刷配線基板と、同じく電子回路が形成された他方の印刷配線基板とを電気的に接続するコネクタとして、印刷配線板の表面に配置するようにした、いわゆるサーフェスマウント型のコネクタが知られている。
【０００３】
図１０は上述したサ−フェスマウント型のコネクタ１の概念断面図である。
【０００４】
このコネクタ１は、一方の印刷配線基板２に配設されたプラグ３と他方の印刷配線基板４に配設されたリセプタクル５とから構成されている。
【０００５】
このうち、プラグ３は互いに対向し図面の奥行き方向に沿って所定のピッチで配設された断面Ｌ字形状の複数本のプラグ側コンタクト６と、これを支承するプラグボディー７とから構成されており、またこのプラグ側コンタクト６のコンタクトテール６ａは印刷配線基板２の上面に形成された対応する図示せぬ印刷配線パターンに半田等の固着手段を介し電気的に接続されている。
【０００６】
同様にリセプタクル５も互いに対向し図面の奥行き方向に沿って所定のピッチで配設された断面Ｌ字形状の複数のリセプタクル側コンタクト８と、これを支承するリセプタクルボディー９とから構成され、このリセプタクル側コンタクト８のコンタクトテール８ａは印刷配線基板４の下面に形成された対応する図示せぬ印刷配線パターンに半田等の固着手段を介して電気的に接続されている。
【０００７】
このようなコネクタ１によると、矢印Ａで示すように、リセプタクルボディー９をプラグボディー７に形成された嵌合穴７ａ内に嵌挿すると、図１１で示すように、各プラグ側コンタクト６がそれぞれ対応する一対のリセプタクルコンタクト８間に嵌挿して挟持され、これにより一対のプラグ側コンタクト６と対応する一対のリセプタクル側コンタクト８との間の電気的な接続が図られるとともに、当該コネクタ１を介して一方の印刷配線基板２の電子回路と他方の印刷配線基板４の電子回路との間の電気的接続が図られることとなる。
【０００８】
なお、図１１で符号９ａはリセプタクルボディー９の両側面に形成された係合突起で、この係合突起９ａはプラグボディー７の両側方に形成された係合孔７ｂに係合し、両ボディー７，９結合後の双方の抜け止めを図っている。
【０００９】
一方、上述したコネクタ１を一方の印刷配線板２とケーブルとの電気的接続に使用する場合は、図１１と同一部分を同一符号で示す図１２のように、ワイヤー保持ブロック１０をリセプタクルボディー９の上面に配設する。
【００１０】
このように、ワイヤー保持ブロック１０をプラグボディー７の上面に配設する場合、従来では、リセプタクル側コンタクト８の各コンタクトテール８ａに、それぞれ対応するケーブル１１の芯線１１ａを半田等で接続した後、当該リセプタクルボディー９に対し射出形成等の二次成形を施し、これによりワイヤー保持ブロック１０をプラグボディー７の上面に形成するようにしている。
【００１１】
このように、ワイヤー保持ブロック１０を介し各コンタクトテール８ａに対応するケーブル１１を接続したリセプタクルボディー９をプラグボディー７内に嵌着させると、当該ワイヤー保持ブロック１０を形成したコネクタ１を介し一方の印刷配線基板２と対応するケーブル１１との電気的な接続が図られる。
【発明の開示】
【発明が解決しようとする課題】
【００１２】
ところで上述した従来のコネクタ１によると、当該コネクタ１を印刷配線板対ケーブルの接続に使用する場合は、リセプタクルボディー９に対し射出成形等の二次成形を施し、これによりワイヤー保持ブロック１０をプラグボディー７の上方に形成せねばならぬため、コネクタ１に対する加工工程数が多く、このためコストアップの要因となっていた。
【００１３】
この発明は、上述した事情に鑑み、加工工程が少なく安価なコネクタを提供することを目的とする。
【課題を解決するための手段】
【００１４】
上述した課題を解決するため、この発明では、一方の印刷配線基板の配線パターン上に接続可能なコンタクトテールを有するコンタクトをボディーに配設したプラグと、他方の印刷配線基板の配線パターン上に接続可能なコンタクトテールを有するコンタクトをボティーに配設したリセプタクルとを有し、前記プラグとリセプタクルとを結合させて前記一方の印刷配線基板の配線パターンと他方の印刷配線基板の配線パターンとを電気的に接続するようにしたコネクタにおいて、前記プラグ側ボティーと前記リセプタクル側ボディーのうちいずれか一方のボディーの前記コンタクトテールが露出した側に、ゲーブルの芯線を対応する前記コンタクトテールへ案内するケーブル案内孔を形成したワイヤー保持ブロックを配設するとともに、該ワイヤー保持ブロックと前記ボディーとの間に前記ワイヤー保持ブロックを前記ボディーに結合させる係合手段を介在させるようにした。
【発明の効果】
【００１５】
上述したコネクタによると、コネクタを構成するプラグ側ボディーとリセプタクルプタクル側ボディーのうちいずれか一方のボディーにケーブルの芯線を対応するコンタクトテールへ案内するケーブル案内孔を形成したワイヤー保持ブロックを配設するとともに、このワイヤー保持ブロックとボディーとの間に係合手段を介在させ、この係合手段を介しワイヤー保持ブロックとボディーとを結合させるようにしたから、従来の如くワイヤー保持ブロックとボディーとを結合させる際に、ボディーに対し射出成形等の二次成形を施し、これによりワイヤー保持ブロックをボディーに形成する必要がなく、容易にボディーに対しワイヤー保持ブロックを結合させることができ、このためコネクタを安価に提供することができる。  
【発明を実施するための最良の形態】
【００１６】
以下、この発明に係るコネクタの一実施例を詳述する。
【００１７】
図１はこの発明に係るコネクタ２０のリセプタクル２１を示す概念断面図で図１０と同一部分を同一符号で示す。
【００１８】
このコネクタ２０のリセプタクル２１では、断面Ｌ字形状の複数本のリセプタクル側コンタクト８を支承するリセプタクルボディー２２のうち、コンタクトテール８ａが露出した側には、その中央部に係合手段２３の一方を構成する係合凸部２４がリセプタクルボディー２２と一体に突出形成されている。
【００１９】
図２は、上述したリセプタクルボディー２２のコンタクトテール８ａが露出した側に着脱自在に装着されるケーブル保持ブロック３０の断面図である。
【００２０】
このケーブル保持ブロック３０の下面３０ａには、図１で示す前記リセプタクルボディー２２のコンタクトテール８ａ側に形成された前記係合凸部２４と嵌着係合する係合凹部２５が一体に形成されている。
【００２１】
またこのケーブル保持ブロック３０の上面３０ｂには後述するケーブルの芯線を各コンタクトテール側に案内するケーブル案内孔３１が形成されている。
【００２２】
なお、この案内孔３１は、ケーブル外皮の先端を案内する大径部３１ａと芯線を案内する小径部３１ｂとから構成され、この小径部３１ｂは図示せぬコンタクトテールの延設位置に至り、そこで開口している。
【００２３】
なお、図１で符号２２ａはリセプタクルボディー２２の両側面に形成された係合突起である。
【００２４】
次に、上述したコネクタ２０の作用を説明し、併せて構成をより詳細に説明する。
【００２５】
図３はこの発明に係るコネクタ２０を印刷配線板対印刷配線板の電気的接続に使用した例を示す断面図で、図１０と同一部分を同一符号で示す。
【００２６】
ここでも、従来と同様にプラグ３のコンタクトテール６ａは一方の印刷配線基板２条面に形成された対応する図示せぬ印刷配線パターンに半田等の固着手段を介して電気的に接続されている。
【００２７】
一方、リセプタクル２１のコンタクトテール８ａも他方の印刷配線基板４下面に形成された対応する図示せぬ印刷配線パターンに半田等の固着手段を介し電気的に接続されている。
【００２８】
そして、図３の矢印Ａで示すように、リセプタクルボディー２２をブラグボディー７の嵌合穴７ａ内に嵌装すると、図４で示すように各プラグ側コンタクト６が対応する一対のリセプタクルコンタクト８間に嵌挿して挟持され、これにより一対のプラグ側コンタクト６と対応する一対のリセプタクル側コンタクト８との間の電気的接続が図られるとともに、当該コネクタ２０を介して一方の印刷配線基板２の電子回路と他方の印刷配線基板４の電子回路との間の電気的な接続が図られることとなる。
【００２９】
また、リセプタクルボディー２２の両側面に形成された係合突起２２ａはプラグボディー７の両側方に形成された係合孔７ｂに係合し、両ボディー７，２２結合後の抜け止めが図られている。
【００３０】
一方、上述したコネクタ２０を一方の印刷配線板２とケーブルとを電気的に接続するように使用する場合は、図５で示すように、リセプタクル２１のリセプタクルボディー２２のうち、コンタクトテール８ａが露出した側に矢印Ｂで示すようにケーブル保持ブロック３０をその下面３０ａを向けて挿入する。
【００３１】
すると、図６で示すように、リセプタクルボディー２２に形成された係合手段２３の一方を構成する係合凸部２４が、ケーブル保持ブロック３０の下面３０ａに形成された前記係合手段２３の他方を構成する係合凸部２５に嵌着し、両者は強固に結合される。
【００３２】
なお、このようにケーブル保持ブロック３０がリセプタクルボディー２２に結合されると、このケーブル保持ブロック３０に形成された各ケーブル案内孔３１の小径部３１ｂ下流端が各コンタクトテール８ａ側に臨み、当該各コンタクトテール８ａの後端を露出させることとなる。
【００３３】
このように、リセプタクルボディー２２にケーブル保持ブロック３０を結合した後、ケーブル保持ブロック３０のケーブル案内孔３１内に矢印Ｃの如くケーブル４０を挿入し、ケーブル４０の芯線４０ａと対応するコンタクトテール８ａとを半田５０等の固着手段により固着すると、図７で示すように、ケーブル保持ブロック３０を介し各ケーブル４０の芯線４０ａを対応する各コンタクトテール８ａに電気的に接続したリセプタクル２１が完成される。
【００３４】
その後、ケーブル保持ブロック３０を介し各ケーブル４０を接続したリセプタクル２１を矢印Ａで示すように、そのリセプタクルボディー２２をプラグボディー７の嵌合穴７ａ内に嵌挿すると、図８で示すように、各プラグ側コンタクト６がそれぞれ対応する一対のリセプタクルコンタクト８間に嵌挿して挟持され、これにより一対のプラグ側コンタクト６と対応する一対のリセプタクル側コンタクト８との間の電気的接続が図られるとともに、当該コネクタ２０を介して一方の印刷配線基板２の電子回路とケーブル４０との間の電気的接続が図られる。
【００３５】
なお、図９は一方の印刷配線基板２の電子回路とケーブル４０との間の電気的接続を図ったコネクタ２０の概念斜視図で図８と同一部分を同一符号で示す。
【００３６】
なお、図９で符号６０は印刷配線板に対する位置決め用ボス、６１はその取付金具である。
【００３７】
なお、上記実施例では、リセプタクル２１にケーブル保持ブロック３０を介しケーブル４０を接続するようにしたが、この発明は上記実施例に限定されることなく、プラグ３側にケーブル保持ブロック３０を結合し、そのケーブル保持ブロック３０を介してプラグ３側の各コンタクトとケーブル４０とを接続するようにしても良い。
【産業上の利用可能性】
【００３８】
以上説明したように、この発明のコネクタは、一方の印刷配線基板と他方の印刷配線基板とを電気的に接続させるとともに、一方の印刷配線基板とケーブルとを電気的に接続することも可能なコネクタに適している。
【図面の簡単な説明】
【００３９】
【図１】図１はこの発明に係るコネクタの一方を示す概念断面図。
【図２】図２はこの発明に係るコネクタのワイヤー保持ブロックの概念断面図。
【図３】図３はこの発明に係るコネクタを基板対基板の接続に使用した例を示す概念断面図。
【図４】図４はこの発明係るコネクタを基板対基板の接続に使用した例を示す概念断面図。
【図５】図５はこの発明に係るコネクタの組み立て工程を示す概念断面図。
【図６】図６はこの発明に係るコネクタの組み立て工程を示す概念断面図。
【図７】図７はこの発明に係るコネクタを基板対ケーブルの接続に使用した例を示す概念断面図。
【図８】図８はこの発明に係るコネクタを基板対ケーブルの接続に使用した例を示す概念断面図。
【図９】図９は図８の概念斜視図。
【図１０】図１０は従来のコネクタを基板対基板の接続に使用した状態を示す概念断面図。
【図１１】図１１は従来のコネクタを基板対基板の接続に使用した状態を示す概念断面図。
【図１２】図１２は従来のコネクタを基板対ケーブルの接続に使用した状態を示す概念断面図。
【符号の説明】
【００４０】
２…一方の印刷配線基板  
３…プラグ
４…他方の印刷配線基板
６，８…コンタクト
６ａ，８ａ…コンタクトテール  
７…プラグ側ボディー
２０…コネクタ
２１…リセプタクル
２２…リセプタクル側ボディー
２３…係合手段
２４…係合凸部
２５…係合凹部
３１…ケーブル案内孔
３０…ワイヤー保持ブロック
４０…ケーブル
４０ａ…芯線
【図１】
2006086083.tif 000003
【図２】
2006086083.tif 000004
【図３】
2006086083.tif 000005
【図４】
2006086083.tif 000006
【図５】
2006086083.tif 000007
【図６】
2006086083.tif 000008
【図７】
2006086083.tif 000009
【図８】
2006086083.tif 000010
【図９】
2006086083.tif 000011
【図１０】
2006086083.tif 000012
【図１１】
2006086083.tif 000013
【図１２】
2006086083.tif 000014